(57)【特許請求の範囲】
【請求項１】
発泡合成樹脂製の床主体(1) に、該床主体(1) の上面に添装される面ヒータの接続コードを裏側に導く連通孔(4) を設けるとともに、床主体(1) の底面に前記した連通孔(4) に続くコード収納溝(2) を設けた暖房畳用畳床において、前記コード収納溝(2) が、４個の円形溝を角形枠溝状に繋いだ余裕コード収納用の中間溝部(21)から床主体(1) の４辺に通じる複数の枝溝部(22)を分岐させたものであり、このコード収納溝(2) を各枝溝部(22)の少なくとも一部の溝幅を接続コードの端部に取付けられたコネクタ類を収納できる寸法として設けてあることを特徴とする暖房畳用畳床。
【請求項２】
中間溝部(21)と枝溝部(22)との間にコード屈曲用の角形の凹部(23)が形成されている請求項１に記載の暖房畳用畳床。
【請求項３】
各枝溝部(22)を、コード収納用の細溝(22a) の中間部分にコネクタ類を進退動自在に収納できる溝幅と長さを有する拡大溝(22b) を形成した段付溝とした請求項１または２に記載の暖房畳用畳床。
【請求項４】
枝溝部(22)が、床主体(1) の２短辺の各２等分位置に通じる２本と、床主体(1) の２長辺の各４等分位置のうちの外側の２位置にそれぞれ通じる４本との計６本である請求項１または２または３に記載の暖房畳用畳床。
【請求項５】
床主体(1) の上面に浅い面ヒータ添装用凹部(3) を形成してある請求項１または２または３または４に記載の暖房畳用畳床。
【請求項６】
床主体(1) の上面に面ヒータ(11)を添装してその上面を肉薄の覆板(17)で覆うとともに面ヒータ(11)の接続コード(12)は、床主体(1) に設けられた連通孔(4) を通じて床主体(1) の裏側に導かれてその一端の雄側コネクタ(13)が１つの枝溝部(22)の開口端より内側に位置し他端の雌側コネクタ(14)は他の１つの枝溝部(22)の開口端より外部に位置した状態としてコード収納溝(2) 内に収納保持されている請求項１または２または３または４または５に記載の暖房畳用畳床。
【請求項７】
枝溝部(22)内にある雄側コネクタ(13)を弾性部材(15)により常時内向きに牽引してある請求項６に記載の暖房畳用畳床。
【発明の詳細な説明】
【０００１】
【発明の属する技術分野】
本発明は、施工が簡単な暖房畳用畳床に関するものである。
【０００２】
【従来の技術】
独立気泡を有する弾性合成樹脂よりなる床主体の上面に面ヒータを添装してこれに接続コードを配線するようにした暖房畳は公知であるが、従来のこの種の暖房畳は電気配線が面倒で、電気工事には素人の畳職人のみによる施工ができないという問題を有していた。
【０００３】
【発明が解決しようとする課題】
本発明が解決しようとするところは上記した従来の問題点を解決して、電気工事には素人の畳職人のみにより簡単に施工することができる安全な暖房畳用畳床を提供することにある。
【０００４】
【課題を解決するための手段】
上記の課題を解決するためになされた本発明に係る暖房畳用畳床は、発泡合成樹脂製の床主体に、該床主体の上面に添装される面ヒータの接続コードを裏側に導く連通孔を設けるとともに、床主体の底面に前記した連通孔に続くコード収納溝を設けた暖房畳用畳床であって、前記コード収納溝が、４個の円形溝を角形枠溝状に繋いだ余裕コード収納用の中間溝部から床主体の４辺に通じる複数の枝溝部を分岐させたものであり、このコード収納溝を各枝溝部の少なくとも一部の溝幅を接続コードの端部に取付けられたコネクタ類を収納できる寸法として設けてあることを特徴とするものを基本構成とする。そして、このような暖房畳用畳床において、中間溝部と枝溝部との間にコード屈曲用の角形の凹部が形成されているものを請求項２に係る発明とし、また、各枝溝部を、コード収納用の細溝の中間部分にコネクタ類を進退動自在に収納できる幅と長さを有する拡大溝を形成した段付溝としてコード本体は細溝内に安定収納されるとともにコード本体より広幅の雄側コネクタや雌側コネクタなどのコネクタ類のみが拡大溝内で進退動自在で且つ安定状態に収納されるようにしたものを請求項３に係る発明とし、また、前記した各暖房畳用畳床において、枝溝部を、床主体の２短辺の各２等分位置に通じる２本と、床主体の２長辺の各４等分位置のうちの外側の２位置にそれぞれ通じる４本との計６本として室内における畳床の配列をどのようにしても接続コードの接続を可能としたものを請求項４に係る発明とし、さらに、前記したような暖房畳用畳床において、床主体の上面に浅い面ヒータ添装用凹部を形成して面ヒータが床主体の上面に安定して載装できるようにしたものを請求項５に係る発明とする。そして、前記した各暖房畳用畳床の床主体の上面に面ヒータを添装してその上面を肉薄の覆板で覆うとともに面ヒータの接続コードは、床主体に設けられた連通孔を通じて床主体の裏側に導いてその一端の雄側コネクタが１つの枝溝部の開口端より内側に位置し他端の雌側コネクタは他の１つの枝溝部(22)の開口端より外部に位置した状態としてコード収納溝内に収納保持させておくことにより、畳表を被装するだけで畳にできるようにしたものを請求項６に係る発明とし、この発明において、枝溝部内にある雄側コネクタを弾性部材により常時内向きに牽引して接続コードの弛みをなくしたものを請求項７に係る発明とするものである。
【０００５】
【発明の実施の形態】
以下、本発明の好ましい実施の形態を示す。
１は発泡ポリエチレン樹脂などの弾性と電気絶縁性と有する独立気泡の発泡合成樹脂よりなる床主体であって、この床主体１は従来の畳床と同様にその長辺と短辺との比が２：１としてある。そして、この床主体１の上面には浅い面ヒータ添装用の凹部３を形成する一方、床主体１の底面にはコード収納溝２を設けてあり、このコード収納溝２が設けられている裏側と凹部３が設けられている表側とは床主体１の略中心位置に透設してある連通孔４により連通されており、前記した凹部３には面ヒータ１１を収納して床主体１の上面に添装し、一方、前記コード収納溝２には、床主体１の上面に添装した面ヒータ１１の接続コード１２を前記した連通孔４を通じて裏側に導いたうえ、この接続コード１２を床主体１の底面から膨出しないように底部に添ってコード収納溝２に収納してある。
【０００６】
コード収納溝２は、前記した連通孔４に続いて床主体１の底面略中央部に穿設されている余裕コード収納用の中間溝部２１と、この中間溝部２１の両端から床主体１の対向する２つの短辺の各２等分位置に向け１本宛分岐された２本と、同じく床主体１の対向する２つの長辺の各４等分位置のうち両側の２ヶ所に向けそれぞれ分岐された４本との計６本の枝溝部２２とよりなる枝付溝としてある。なお、図示する中間溝部２１は、４個の円形溝を繋いだ角形枠溝として円形溝のうちのいくつかを利用することにより接続コード１２の長さを調整するようにしてある。
【０００７】
また、前記した各枝溝部２２は、全体をコネクタ類が進退動自在な幅としてもよいが、全体を広幅とすると接続コードを溝内に安定保持する保持手段が面倒になるため、コード収納用の細溝２２ａの中間部分をコネクタ類を進退動自在に収納できる溝幅と長さを有する拡大溝２２ｂに形成した段付溝とし、接続コードは細溝２２ａに安定収納されるがコネクタ類は拡大溝２２ｂに収納されるようにしておくなど、少なくとも枝溝部２２の一部の溝幅は接続コード１２の端部の雄側コネクタ１３や雌側コネクタ１４などのコネクタ類を収納できる幅としておくことが好ましく、また、前記余裕コード収納用の中間溝部２１と各枝溝部２２との間にはコード屈曲用の角形の凹部２３を形成してある。
【０００８】
そして、前記した床主体１の裏側に導かれた面ヒータ１１の接続コード１２は床主体１の底面のコード収納溝２に前記した一端の雄側コネクタ１３が１つの枝溝部２２の拡大溝２２ｂの内部にあり、他端の雌側コネクタ１４は他の１つの枝溝部２２の開口端より外部に所要長さだけ引き出された状態となるよう収納し、前記したコード収納溝２の長さを余裕コード収納用の中間溝部２１において中間部分の長さを調整した状態としてセロテープなどの簡易保持手段１６で溝内に保持させてある。なお、前記した雄側コネクタ１３はゴム紐などの弾性部材１５をもって拡大溝２２ｂ内で常時内側に牽引してあり、また、図において１７は、面ヒータ１１を覆うように床主体１の上面に添装する発泡ポリエチレン樹脂などの電気絶縁性を有する弾性合成樹脂よりなる肉薄の覆板である。
【０００９】
このように構成されたものは、床主体１の上面に面ヒータ１１を添装してその上面を肉薄の覆板１７で覆うとともに面ヒータ１１の接続コード１２を前記連通孔４を通じて床主体１の裏側に導いてこの接続コード１２をコード収納溝２にその一端の雄側コネクタ１３が１つの枝溝部２２の開口端より内側に位置し他端の雌側コネクタ１４は他の１つの枝溝部２２の開口端より外部に所要長さだけ引き出された状態で収納し、簡易保持手段１６により溝内に保持させたものであるが、これに畳表を被装して畳としてその複数枚を室内に敷く際には、先ず、部屋隅の電源コンセントに図示しないコントロールボックスを接続したうえ、先ず１枚の畳を第１の畳としてその部屋隅に作業者が支えながら斜めに立て、コントロールボックスのコードを第１の畳の１つの枝溝部２２の開口端より内側に位置している雄側コネクタ１３と接続する。
【００１０】
そして、この接続が終了したならば作業者による支えを解いて第１の畳を寝かせれば、第１の畳はその床主体１の底面の１つの枝溝部２２の開口端より雌側コネクタ１４が外部に所要長さだけ引き出された状態で仮敷される。次に、この畳と隣合うように第２の畳を用意してこれを作業者が支えながら斜めに立て、その床主体１の底面にある１つの枝溝部２２の開口端より内側に位置する雄側コネクタ１３と、前記した第１の畳の側縁より引き出されている雌側コネクタ１４とを接続した後、作業者による支えを解いて第２の畳を寝かせれば、第２の畳もその床主体１の底面の１つの枝溝部２２の開口端より雌側コネクタ１４が外部に所要長さだけ引き出された状態で仮敷されるから、以下、同様の手段を繰り返すことにより複数枚の畳を順次敷き詰めてゆけばよい。
【００１１】
前記したような施工法により６畳間の畳敷を行う場合について、畳の配列順を番号１〜６で示したものが図３ー１から図３ー１５であって、このような施工を行なうことにより通常の畳と殆ど変わらない手数で暖畳を敷き詰めることができる。なお、図において点線が接続コードの配線状態を示し、点線がない１〜２枚は接続コードを配線しないままの状態で使用している。
【００１２】
【発明の効果】
本発明は前記説明から明らかなように、軽量で取扱が用意なうえに絶縁性にも優れた発泡合成樹脂製の床主体の上面に面ヒータを添装してその接続コードを連通孔から裏側に導き、この接続コードを床主体の底面に該床主体の４辺に通じる複数の枝溝部を備えたコード収納溝にその端部に取付けられた雌雄一対のコネクタ類のうち雄側コネクタが１つの枝溝部の開口端より内側に位置し他端の雌側コネクタは他の１つの枝溝部の開口端より外部に位置した状態としてコード収納溝(2) 内に収納保持されるようにしてあるので、電気工事に不馴れな畳職人１人が簡単に暖房畳工事を的確容易に行なうことができる。
【００１３】
また、コード収納溝に４個の円形溝を角形枠溝状に繋いだ余裕コード収納用の中間溝部を設けてあるので、畳の大きさの微差などにより生じる接続コードの長さ調節が簡単にできるので接続コードに弛みが生じるようなことがなく、特に、枝溝部の溝幅の一部または全部がコネクタ類を進退動自在に収納できる溝幅とすることにより底部にコネクタ類が突出するようなおそれもない。さらに、枝溝部を床主体の２短辺の各２等分位置に通じる２本と、床主体の２長辺の各４等分位置のうちの外側の２位置にそれぞれ通じる４本との計６本とした場合には最少の溝数でどのような向きにでも畳敷を行なうことができて便利であり、また、面ヒータを床主体の上面に形成した浅い凹部に収納してその上面を肉薄の覆板で覆っておくと面ヒータの安定性や安全性はより高められることとなり、さらに、枝溝部内にあるコネクタ類を弾性部材により常時内向きに牽引しておけば、接続コードの弛みがないにもかかわらず接続コードの接続作業性がより良好になるなど種々の利点がある。  従って、本発明は従来のこの種の暖房畳用畳床の問題点を解決したものとして産業の発展に寄与するところは極めて大きいものである。
【図面の簡単な説明】
【図１】  本発明の好ましい実施の形態を示す底面図である。
【図２】  本発明の好ましい実施の形態の中央部における縦断側面図である。
【図３】  本発明により得られた暖畳の６畳間の施工例を示す裏面図である。
【符号の説明】
１  発泡合成樹脂製の床主体
２  コード収納溝
３  面ヒータ添装用の凹部
４  連通孔
11  面ヒータ
12  接続コード
13  雄側コネクタ
14  雌側コネクタ
15  弾性部材
16  簡易保持手段
17  覆板
21  中間溝部
22  枝溝部
22a 細溝
22b 拡大溝
23 コード屈曲用の凹部
【図１】
0003862375.tif 000002
【図２】
0003862375.tif 000003
【図３】
0003862375.tif 000004